(57)【要約】【課題】水流を自動的に止めることができ、また、手作業で快速止水もでき、優れた漏れ止め効果を達成する。また、ロッキングワッシャをロッキングバルブシャフトによって容易に移動させ、ロッキングバルブシャフトを厳密に安定して動かす。【解決手段】蛇口用タイミングロック装置３は、バルブシート３０、トップカバー１０、ロッキングワッシャ２０、リリーフロッド４０、ロッキングバルブシャフト５０、および圧縮ばね７０を有する。使用時、リリーフロッドは、トップカバーの圧力貯留室における水圧を解放するのに使用され得る。そして、ロッキングワッシャがロッキングバルブシャフトにより上方に移動させられて、水が外に流れる。使用時、水はトップカバーのリターン貫通孔を通って圧力貯留室に徐々に流れ込み、水流は、圧縮ばねの復元力および圧力貯留室における水圧増加により自動的に止められる。【選択図】　　　　　　図４
2004060331.tif 000002
【特許請求の範囲】
【請求項１】
バルブシートと、トップカバーと、ロッキングワッシャと、リリーフロッドと、ロッキングバルブシャフトとを有する蛇口用タイミングロック装置であって、
前記バルブシートは、雌ねじが形成された上方部と複数の弧状の凹部を有する伸長孔が形成された下方部とを備える内壁を有し、当該バルブシートの内壁には、伸長孔の上方に位置されるバルブ孔が形成され、当該バルブシートは、複数の水連通孔が形成された外面をさらに有し、
前記トップカバーは、バルブシートの雌ねじに螺合され得る雄ねじが形成された外壁と、圧力貯留室を形成し得る内面とを有し、
前記ロッキングワッシャは、ロッキングバルブシャフトの頂部に取り付けられて、ロッキングバルブシャフトによって圧力貯留室内で移動可能に設けられ、当該ロッキングワッシャは、リリーフ孔が形成されるとともにワッシャ側係合部が設けられた内壁と、バルブシートのバルブ孔上に載せられ得る底端部とを有し、
前記リリーフロッドは、ロッキングバルブシャフト内でスライド可能に設けられるとともに、ロッキングワッシャのリリーフ孔上に載せられ得る拡大されたリリーフバルブが設けられた頂部を有し、
前記ロッキングバルブシャフトは、複数の貫通孔と貫通孔の上方に位置されロッキングワッシャのワッシャ側係合部を固定するためのシャフト側係合部とが形成された頂部を備える外壁を有してなる蛇口用タイミングロック装置。
【請求項２】
前記トップカバーは、リターン貫通孔が形成された頂部を有してなる請求項１に記載の蛇口用タイミングロック装置。
【請求項３】
前記バルブシートは、ねじ切りされた突出リングが形成された外壁を有してなる請求項１に記載の蛇口用タイミングロック装置。
【請求項４】
前記ロッキングワッシャは、外および下方に伸延するウイングプレートが設けられた外壁を有してなる請求項１に記載の蛇口用タイミングロック装置。
【請求項５】
前記ロッキングバルブシャフトは、複数の弧状の凹部を有する伸長孔が形成された頂部を備える内壁を有してなる請求項１に記載の蛇口用タイミングロック装置。
【請求項６】
前記ロッキングバルブシャフトは、拡大された保持部が設けられた底部を有してなる請求項１に記載の蛇口用タイミングロック装置。
【請求項７】
前記リリーフロッドは、縮小されたマウンティングポストが設けられた底部を有し、
前記タイミングロック装置は、前記リリーフロッドのマウンティングポストに取り付けられる固定スリーブをさらに有してなる請求項１に記載の蛇口用タイミングロック装置。
【請求項８】
前記ロッキングバルブシャフトは、拡大された保持部が設けられた底部を有し、
前記保持部は、固定スリーブの上昇を制限するためのストップ部が設けられた内壁を有してなる請求項７に記載の蛇口用タイミングロック装置。
【請求項９】
前記トップカバーの圧力貯留室内に設けられた圧縮ばねを有し、前記圧縮ばねは、トップカバーの端壁上のリターン貫通孔で支持され得る第１端部と、リリーフロッドのリリーフバルブ上で支持され得る第２端部とを有してなる請求項１に記載の蛇口用タイミングロック装置。
【請求項１０】
前記トップカバーは、リターン貫通孔が形成された頂部を有し、
前記圧縮ばねの第１端部には、トップカバーの前記リターン貫通孔の中に挿入され得る位置決め部が形成されてなる請求項９に記載の蛇口用タイミングロック装置。
【発明の詳細な説明】
【０００１】
【発明の属する技術分野】
本発明は、蛇口用タイミングロック装置に関し、特に、圧縮ばねの復元力および圧力貯留室における水圧増加によって水流を自動的に止めることができ、手作業でも軽く引き下げられ、優れた漏れ止め効果を達成し得る蛇口用タイミングロック装置に関する。
【０００２】
【従来の技術および発明が解決しようとする課題】
出願人が知る最も近い従来例は、米国特許第４，９４０，２０６号および第５，２０３，３７６号に開示されている。
【０００３】
しかしながら、上記発明は、次のような欠点を有している。すなわち、蛇口の出口から突出したロッキングバルブシャフトはたやすく振動し、そのためロッキングワッシャは圧力貯留室においてぴったりと適合することができず、これにより、寿命を短くしてしまう。さらに、圧力貯留室内に設けられたロッキングワッシャは受圧面積が大きいため大きな水圧を受け易く、そのためロッキングバルブシャフトは、軽くは上方に移動させることができない。
【０００４】
本発明は、かかる課題を解決するためになされたものであり、本発明の主たる目的は、圧力貯留室における水圧増加と圧縮ばねの復元力とによって水流を自動的に止めることができ、また、手作業で引き下げて快速止水でき、優れた漏れ止め効果を達成し得る、蛇口用タイミングロック装置を提供することである。
【０００５】
本発明の別の目的は、前もってトップカバーの圧力貯留室における水圧を逃がすためにリリーフロッドが使用され、そのためロッキングワッシャがロッキングバルブシャフトによって軽く上下方に移動され得る、蛇口用タイミングロック装置を提供することである。
【０００６】
本発明のさらなる目的は、バルブシートは複数の弧状の凹部を有する伸長孔が形成された内壁を有し、そのため水が伸長孔を通って流れ、ロッキングバルブシャフトが伸長孔において厳密に安定して動かされ得る、蛇口用タイミングロック装置を提供することである。
【０００７】
【課題を解決するための手段】
本発明の目的は、バルブシートと、トップカバーと、ロッキングワッシャと、リリーフロッドと、ロッキングバルブシャフトとを有する蛇口用タイミングロック装置であって、
前記バルブシートは、雌ねじが形成された上方部と複数の弧状の凹部を有する伸長孔が形成された下方部とを備える内壁を有し、当該バルブシートの内壁には、伸長孔の上方に位置されるバルブ孔が形成され、当該バルブシートは、複数の水連通孔が形成された外面をさらに有し、
前記トップカバーは、バルブシートの雌ねじに螺合され得る雄ねじが形成された外壁と、圧力貯留室を形成し得る内面とを有し、
前記ロッキングワッシャは、ロッキングバルブシャフトの頂部に取り付けられて、ロッキングバルブシャフトによって圧力貯留室内で移動可能に設けられ、当該ロッキングワッシャは、リリーフ孔が形成されるとともにワッシャ側係合部が設けられた内壁と、バルブシートのバルブ孔上に載せられ得る底端部とを有し、
前記リリーフロッドは、ロッキングバルブシャフト内でスライド可能に設けられるとともに、ロッキングワッシャのリリーフ孔上に載せられ得る拡大されたリリーフバルブが設けられた頂部を有し、
前記ロッキングバルブシャフトは、複数の貫通孔と貫通孔の上方に位置されロッキングワッシャのワッシャ側係合部を固定するためのシャフト側係合部とが形成された頂部を備える外壁を有してなる蛇口用タイミングロック装置、を提供することによって達成される。
【０００８】
【発明の実施の形態】
以下、図面を参照して、本発明の実施の形態を説明する。
【０００９】
図１は、本発明の蛇口用タイミングロック装置を適用した好適な実施形態の概略断面図、図２は、本発明の蛇口用タイミングロック装置を適用した別の実施形態の概略断面図、図３は、本発明の好適な実施形態に係る蛇口用タイミングロック装置の分解斜視図、図４は、図３に示す蛇口用タイミングロック装置の側方からみた断面組立図である。
【００１０】
まず図１〜図４を参照すれば、本発明の好適な実施形態に係るタイミングロック装置３は、蛇口１に対して利用可能であり、接続ロックボディ２により蛇口１の出口に固定することができる。蛇口１の出口は、接続ロックボディ２をねじ込むための雌ねじまたは雄ねじを有している。蛇口１の出口にねじが形成されていない場合、接続ロックボディ２は、たとえばクランプリングによって蛇口１の出口に取り付けることができる。使用時には、タイミングロック装置３のロッキングバルブシャフト５０を上方に動かすことができ、それによって水は外に流れ出て使用に供され、水流は、ばねと水圧増加によって決められた時間で自動的に止められる。
【００１１】
タイミングロック装置３は、バルブシート３０と、トップカバー１０と、ロッキングワッシャ２０と、リリーフロッド４０と、ロッキングバルブシャフト５０とを有している。
【００１２】
バルブシート３０は、円筒形状を呈しており、ねじ切りされた突出リング３４が形成された外壁を有している。また、バルブシート３０は、雌ねじ３１が形成された上方部と複数の弧状の凹部を有する伸長孔３３が形成された下方部とを備える内壁を有する。バルブシート３０の内壁には、伸長孔３３の上方に配置されるバルブ孔３６が形成される。また、バルブシート３０は、複数の水連通孔３２が形成された外面を有している。
【００１３】
トップカバー１０は、円筒形状を呈しており、バルブシート３０の雌ねじ３１に螺合され得る雄ねじ１１が形成された外壁を有している。また、トップカバー１０は、リターン貫通孔１２が形成された頂部を有する。また、トップカバー１０は、圧力貯留室１３を形成し得る内面を有している。
【００１４】
ロッキングワッシャ２０は、ゴムから作られており、リング形状を呈している。このロッキングワッシャ２０は、リリーフ孔２２が形成されるとともに複数の突出リブ（ワッシャ側係合部）２１が設けられた内壁を有している。また、ロッキングワッシャ２０は、外および下方に伸延するウイングプレート２３が設けられた外壁を有する。また、ロッキングワッシャ２０は、バルブシート３０のバルブ孔３６上に載せられ得る底端部２４を有している。
【００１５】
リリーフロッド４０は、拡径されたリリーフバルブ４１が設けられた頂部と、縮径されたマウンティングポスト４２が設けられた底部とを有している。
【００１６】
ロッキングバルブシャフト５０は、円筒形状を呈している。このロッキングバルブシャフト５０は、複数の弧状の凹部を有する伸長孔５１が形成された頂部を備える内壁を有している。また、ロッキングバルブシャフト５０は、複数の貫通孔５３と貫通孔５３の上方に位置されロッキングワッシャ２０の複数の突出リブ２１を固定するための複数の溝（シャフト側係合部）５２とが形成された頂部を備える外壁を有する。また、ロッキングバルブシャフト５０は、拡径された保持部５４が設けられた底部を有している。このロッキングバルブシャフト５０の保持部５４は、ストップ部５５が設けられた内壁を有している。
【００１７】
タイミングロック装置３は、さらに、リリーフロッド４０のマウンティングポスト４２に取り付けられる固定スリーブ６０を有している。固定スリーブ６０の移動は、ロッキングバルブシャフト５０の保持部５４のストップ部５５によって上昇を限定され得る。
【００１８】
タイミングロック装置３は、さらに、トップカバー１０の圧力貯留室１３内に設けられた圧縮ばね７０を有しており、この圧縮ばね７０は、トップカバー１０の端壁上で支持され得る第１端部と、リリーフロッド４０のリリーフバルブ４１上で支持され得る第２端部とを有する。圧縮ばね７０の第１端部には、トップカバー１０のリターン貫通孔１２の中に挿入され得る位置決め部７１が形成されている。
【００１９】
組立時において、ロッキングバルブシャフト５０の頂部は、バルブシート３０の伸長孔３３を通過して伸延される。そして、ロッキングワッシャ２０がロッキングバルブシャフト５０の頂部に取り付けられる。このとき、ロッキングワッシャ２０の各突出リブ２１は、ロッキングバルブシャフト５０の各溝５２の中に挿入される。それから、リリーフロッド４０の底部が、ロッキングワッシャ２０のリリーフ孔２２、ロッキングバルブシャフト５０の伸長孔５１、およびロッキングバルブシャフト５０の保持部５４を通過して伸延される。続いて、固定スリーブ６０が、共に移動するリリーフロッド４０のマウンティングポスト４２に取り付けられる。固定スリーブ６０の移動は、ロッキングバルブシャフト５０の保持部５４のストップ部５５によって上昇を限定され得る。これにより、ロッキングバルブシャフト５０内におけるリリーフロッド４０の移動が制限される。次に、圧縮ばね７０がトップカバー１０の圧力貯留室１３内に設けられて、トップカバー１０がバルブシート３０上にねじ込まれる。このとき、圧縮ばね７０の位置決め部７１は、トップカバー１０のリターン貫通孔１２の中に挿入され、圧縮ばね７０の第２端部は、リリーフロッド４０のリリーフバルブ４１上で支持される。
【００２０】
このようにして、本発明の好適な実施形態に係るタイミングロック装置３は、組み立てられる。
【００２１】
実施時には、バルブシート３０の突出リング３４は、接続ロックボディ２にねじ込まれ、それによりタイミングロック装置３を、蛇口１の出口に固定することができる。
【００２２】
操作時において、図４に示すように、静止時には、ロッキングワッシャ２０は、ばねと水圧増加によって作動される。ロッキングワッシャ２０の底端部２４は、伸長孔３３の上方で、バルブシート３０のバルブ孔３６上に載せられ、リリーフロッド４０のリリーフバルブ４１の底端は、ロッキングワッシャ２０のリリーフ孔２２を塞ぐことができ、これにより、ロッキング状態が形成され、水流が停止される。
【００２３】
図５を参照して、固定スリーブ６０は、リリーフロッド４０を上方に移動させるために上方に押され、これにより、リリーフロッド４０のリリーフバルブ４１の底端をロッキングワッシャ２０のリリーフ孔２２から引き離し、そのため、トップカバー１０の圧力貯留室１３に含まれる水は、ロッキングバルブシャフト５０の伸長孔５１および貫通孔５３を通って、バルブシート３０の伸長孔３３の中に流れ、これにより、トップカバー１０の圧力貯留室１３における水圧を解放して減少させることになる。このようにして、水は、バルブシート３０の伸長孔３３から外に流れ出る。ロッキングワッシャ２０のリリーフ孔２２は、小さい直径を有しており、水圧を受ける面積が少なく、軽く上昇できる。
【００２４】
図６を参照して、固定スリーブ６０は、ロッキングバルブシャフト５０の保持部５４のストップ部５５によって上昇を制限される。したがって、固定スリーブ６０を上方に押すと、ロッキングバルブシャフト５０およびロッキングワッシャ２０を同時に上方に移動させることができる。このとき、トップカバー１０の圧力貯留室１３における水圧は、前もってリリーフ孔２２で解放されており、そのため、ロッキングバルブシャフト５０およびロッキングワッシャ２０は、軽く上方に移動される。
【００２５】
このようにして、トップカバー１０とロッキングワッシャ２０との間の圧力貯留室１３に含まれる水は、ロッキングバルブシャフト５０の伸長孔５１および貫通孔５３を通って、バルブシート３０の伸長孔３３の中に流れ得る。
【００２６】
図７を参照すれば、リリーフロッド４０のリリーフバルブ４１は、圧縮ばね７０の復元力によって、押されて下方に移動し、そのため、リリーフロッド４０のリリーフバルブ４１の底端は、ロッキングワッシャ２０のリリーフ孔２２を塞ぎ得る。このとき、水は、トップカバー１０のリターン貫通孔１２を通って、トップカバー１０とロッキングワッシャ２０との間の圧力貯留室１３の中に流れることができ、そのため、ロッキングバルブシャフト５０を、圧縮ばね７０の復元力および圧力貯留室１３における水圧増加によって下方に移動させることができる。こうして、ロッキングバルブシャフト５０は、図７に示す位置から、ロッキングワッシャ２０の底端部２４が伸長孔３３の上方でバルブシート３０のバルブ孔３６上に載せられるところの図４に示す位置へ移動させられ、これにより、ロッキング状態が形成され、水流が停止される。
【００２７】
したがって、本発明の好適な実施形態に係るタイミングロック装置３は、圧縮ばね７０の復元力および圧力貯留室１３における水圧増加によって水流を自動的にロックして止めることができる。加えて、圧縮ばね７０の位置決め部７１は、トップカバー１０のリターン貫通孔１２をきれいにするように、トップカバー１０のリターン貫通孔１２の中で揺り動くことができ、これにより、トップカバー１０のリターン貫通孔１２が不純物のために塞がれることが防止される。さらに、リリーフロッド４０は、ロッキングバルブシャフト５０の伸長孔５１と固定スリーブ６０との制限によって、ロッキングバルブシャフト５０内で厳密に安定して移動させられることができる。さらに、ロッキングバルブシャフト５０は、バルブシート３０の伸長孔３３とロッキングワッシャ２０のウイングプレート２３との制限によって、厳密に安定して移動させられることができる。
【００２８】
図８を参照して、タイミングロック装置を使用中、急速に止水したい場合、使用者は、ロッキングバルブシャフト５０の保持部５４を直接つかんで、ロッキングバルブシャフト５０を急速に下方に移動させることができる。このとき、固定スリーブ６０は相対的に上方に移動して、リリーフロッド４０を相対的に上方に移動させ、これにより、リリーフロッド４０のリリーフバルブ４１の底端をロッキングワッシャ２０のリリーフ孔２２から引き離し、そのため、水は、ロッキングバルブシャフト５０の伸長孔５１および貫通孔５３を通って、トップカバー１０とロッキングワッシャ２０との間の圧力貯留室１３の中に流れ、これにより、ロッキングバルブシャフト５０およびロッキングワッシャ２０は、容易に素早く下方に移動され得る。
【００２９】
図９を参照して、本発明の別の実施形態に係る装置が示されており、ここで、トップカバー１０のリターン貫通孔１２、および圧縮ばね７０は定義されておらず、これにより、部品点数を削減でき、製作コストを低減できる。この実施形態によれば、軽く操作できる快速開閉装置を提供できる。
【００３０】
上述のように本発明の好適な実施形態に関して説明したが、本発明は、多くの他の可能な修正および変更が本発明の範囲から逸脱することなく成され得ると、解釈されるべきである。したがって、特許請求の範囲の請求項は、本発明の範囲内における上記の修正および変更を包含するものである。
【００３１】
【発明の効果】
以上説明したように、本発明によれば、圧力貯留室における水圧増加と好ましくはさらに圧縮ばねの復元力とによって水流を自動的に止めることができ、また、手作業で快速止水もでき、優れた漏れ止め効果を達成することができる。
【００３２】
また、前もってトップカバーの圧力貯留室における水圧を逃がすためにリリーフロッドが使用され、そのためロッキングワッシャをロッキングバルブシャフトによって軽く上下方に移動させることができる。
【００３３】
さらに、バルブシートは複数の弧状の凹部を有する伸長孔が形成された内壁を有し、そのため水が伸長孔を通って流れ、ロッキングバルブシャフトが伸長孔において厳密に安定して動かされ得る。
【図面の簡単な説明】
【図１】本発明の蛇口用タイミングロック装置を適用した好適な実施形態の概略断面図である。
【図２】本発明の蛇口用タイミングロック装置を適用した別の実施形態の概略断面図である。
【図３】本発明の好適な実施形態に係る蛇口用タイミングロック装置の分解斜視図である。
【図４】図３に示す蛇口用タイミングロック装置の側方からみた断面組立図である。
【図５】図４に示す蛇口用タイミングロック装置の概略作動を説明するための図である。
【図６】図５に示す蛇口用タイミングロック装置の概略作動を説明するための図である。
【図７】図６に示す蛇口用タイミングロック装置の概略作動を説明するための図である。
【図８】図６に示す蛇口用タイミングロック装置の概略作動を説明するための図である。
【図９】本発明の別の実施形態に係る蛇口用快速開閉装置の側方からみた断面組立図である。
【符号の説明】
１…蛇口、
２…接続ロックボディ、
３…タイミングロック装置、
１０…トップカバー、
１１…雄ねじ、
１２…リターン貫通孔、
１３…圧力貯留室、
２０…ロッキングワッシャ、
２１…突出リブ、
２２…リリーフ孔、
２３…ウイングプレート、
２４…底端部、
３０…バルブシート、
３１…雌ねじ、
３２…水連通孔、
３３…伸長孔、
３４…突出リング、
３６…バルブ孔、
４０…リリーフロッド、
４１…リリーフバルブ、
４２…マウンティングポスト、
５０…ロッキングバルブシャフト、
５１…伸長孔、
５２…溝、
５３…貫通孔、
５４…保持部、
５５…ストップ部、
６０…固定スリーブ。
【図１】
2004060331.tif 000003
【図２】
2004060331.tif 000004
【図３】
2004060331.tif 000005
【図４】
2004060331.tif 000006
【図５】
2004060331.tif 000007
【図６】
2004060331.tif 000008
【図７】
2004060331.tif 000009
【図８】
2004060331.tif 000010
【図９】
2004060331.tif 000011